(57)【要約】【課題】着崩れしにくい放射線遮へい衣服を提供する。【解決手段】放射線遮へい衣服１は、正面部材２と背面部材３とを備えている。背面部材３は、ベルトにより身体に固定されている。正面部材２と背面部材３とは、身体の肩部において、面ファスナー４５，４６により連結され、その上からさらに右ベルト４１，１４１及び左ベルト４２，１４２を連結することにより一体となっている。また、正面部材２と背面部材３とは、身体の腰部において、面ファスナー１５３，１５４により連結され、その上からさらに右腰ベルト１４５及び左腰ベルト１４６を連結することにより身体の胴部で保持されている。【選択図】図１４
2013072795.tif 000002
【特許請求の範囲】
【請求項１】
金属及び樹脂を含有した第１金属シート部材及び前記第１金属シート部材の全体を覆う可撓性を有する第１シート部材を有し、身体の正面側に装着される正面部材と、
金属及び樹脂を含有した第２金属シート部材及び前記第２金属シート部材の全体を覆う可撓性を有する第２シート部材を有し、身体の背面側に装着される背面部材とを備えており、
前記第１シート部材は、
身体の正面を覆う正面部と、
前記正面部の右上端部から上方に向かって延在した右上部と、
前記正面部の左上端部から上方に向かって延在した左上部と、
前記正面部の右側部から外側に向けて膨らんだ右膨出部と、
前記正面部の左側部から外側に向けて膨らんだ左膨出部とを有し、
前記正面部材は、
前記正面部の右上端部において、前記第１シート部材の身体に対向する外側面と反対側の外側面に取り付けられた第１右ベルトと、
前記正面部の左上端部において、前記第１シート部材の身体に対向する外側面と反対側の外側面に取り付けられた第１左ベルトと、
前記右上部において、前記第１シート部材の身体に対向する外側面に取り付けられた第１右接着部材と、
前記左上部において、前記第１シート部材の身体に対向する外側面に取り付けられた第１左接着部材と、
前記正面部及び前記右膨出部において、前記第１シート部材の身体に対向する外側面と反対側の外側面に取り付けられた第１右突出接着部材と、
前記正面部及び前記左膨出部において、前記第１シート部材の身体に対向する外側面と反対側の外側面に取り付けられた第１左突出接着部材とを有し、
前記第１金属シート部材が、少なくとも前記正面部の一部に対向するように配置されており、
前記第２シート部材は、
身体の背面を覆う背面部と、
前記背面部の右上端部から上方に向けて延在し、右肩に対向する右肩部と、
前記背面部の左上端部から上方に向けて延在し、左肩に対向する左肩部と、
前記背面部の右側部から外側に向けて膨らむように突出した右突出部と、
前記背面部の左側部から外側に向けて膨らむように突出した左突出部とを有し、
前記背面部材は、
前記背面部の右上部において、前記第２シート部材の身体に対向する外側面に取り付けられた右上ベルトと、
前記背面部の左上部において、前記第２シート部材の身体に対向する外側面に取り付けられた左上ベルトと、
前記背面部の右下部において、前記第２シート部材の身体に対向する外側面に取り付けられた右下ベルトと、
前記背面部の左下部において、前記第２シート部材の身体に対向する外側面に取り付けられた左下ベルトと、
前記背面部の身体の右腰部に対応する位置において、前記第２シート部材の身体に対向する外側面に取り付けられた第１右腰ベルトと、
前記背面部の身体の左腰部に対応する位置において、前記第２シート部材の身体に対向する外側面に取り付けられた第１左腰ベルトと、
前記背面部の右上端部において、前記第２シート部材の身体に対向する外側面と反対側の外側面に取り付けられた第２右ベルトと、
前記背面部の左上端部において、前記第２シート部材の身体に対向する外側面と反対側の外側面に取り付けられた第２左ベルトと、
前記右肩部において、前記第２シート部材の身体に対向する外側面と反対側の外側面に取り付けられているとともに前記第１右接着部材に着脱自在に接着する第２右接着部材と、
前記左肩部において、前記第２シート部材の身体に対向する外側面と反対側の外側面に取り付けられているとともに前記第１左接着部材に着脱自在に接着する第２左接着部材と、
前記右突出部において、前記第２シート部材の身体に対向する外側面に取り付けられているとともに前記第１右突出接着部材に着脱自在に接着する第２右突出接着部材と、
前記左突出部において、前記第２シート部材の身体に対向する外側面に取り付けられているとともに前記第１左突出接着部材に着脱自在に接着する第２左突出接着部材と、
前記背面部及び前記右突出部の身体の腰部に対応する位置において、前記第２シート部材の身体に対向する外側面と反対側の外側面に取り付けられた第２右腰ベルトと、
前記背面部及び前記左突出部の身体の腰部に対応する位置において、前記第２シート部材の身体に対向する外側面と反対側の外側面に取り付けられた第２左腰ベルトとを有し、
前記第２金属シート部材が、少なくとも前記背面部の一部に対向するように配置されており、
前記放射線遮へい衣服は、
前記第１右ベルト及び前記第２右ベルトを着脱自在に連結する右ベルト連結部材と、
前記第１左ベルト及び前記第２左ベルトを着脱自在に連結する左ベルト連結部材と、
前記右上ベルト及び前記左下ベルトを着脱自在に連結する第１左右ベルト連結部材と、
前記左上ベルト及び前記右下ベルトを着脱自在に連結する第２左右ベルト連結部材と、
前記第１右腰ベルト及び前記第１左腰ベルトを着脱自在に連結する第１腰ベルト連結部材と、
前記第２右腰ベルト及び前記第２左腰ベルトを着脱自在に連結する第２腰ベルト連結部材とを有することを特徴とする放射線遮へい衣服。
【請求項２】
前記右ベルト連結部材は、前記第１右ベルト及び前記第２右ベルトの少なくとも一方のベルト長さを調整可能な右ベルト調整部を有し、
前記左ベルト連結部材は、前記第１左ベルト及び前記第２左ベルトの少なくとも一方のベルト長さを調整可能な左ベルト調整部を有し、
前記第１左右ベルト連結部材は、前記右上ベルト及び前記左下ベルトの少なくとも一方のベルト長さを調整可能な第１左右ベルト調整部を有し、
前記第２左右ベルト連結部材は、前記左上ベルト及び前記右下ベルトの少なくとも一方のベルト長さを調整可能な第２左右ベルト調整部を有し、
前記第１腰ベルト連結部材は、前記第１右腰ベルト及び前記第１左腰ベルトの少なくとも一方のベルト長さを調整可能な第１腰ベルト調整部を有し、
前記第２腰ベルト連結部材は、前記第２右腰ベルト及び前記第２左腰ベルトの少なくとも一方のベルト長さを調整可能な第２腰ベルト調整部を有することを特徴とする請求項１に記載の放射線遮へい衣服。
【請求項３】
前記第１金属シート部材が、前記右膨出部及び前記左膨出部に対向するように配置されていることを特徴とする請求項１又は２に記載の放射線遮へい衣服。
【発明の詳細な説明】
【技術分野】
【０００１】
本発明は、放射線を遮へいする衣服に関する。
【背景技術】
【０００２】
原子力発電所等の放射線を取り扱う施設では、放射性物質が流れる配管や機器等の周囲に放射線遮へい部材を設けることにより、放射性物質の漏洩を抑止している。しかしながら、配管や機器等の周囲に放射線遮へい部材を設けるだけでは、放射線を十分に遮へいすることができないことから、放射線遮へい用の衣服を着用することにより、放射性物質の漏洩を抑止し、被ばく量の低減を図っている（例えば、非特許文献１）。
【先行技術文献】
【非特許文献】
【０００３】
【非特許文献１】RAD VEST, Frham Safety Products, Inc.2008. Retrieved from the Internet: <URL: http://frhamsafety.com/radvest/tungsten.html >.
【発明の概要】
【発明が解決しようとする課題】
【０００４】
非特許文献１に開示された衣服を着用して作業したところ、衣服が身体に密着しにくく、着崩れしやすいことがわかっている。着崩れすると、作業効率が低下するとともに、放射線遮へい部位の位置ずれが生じる。したがって、作業を中断し、放射線を取り扱っていない別の場所で衣服を着直してから、作業を再開している。よって、作業時間が長期化する問題がある。
【０００５】
そこで、本発明は、着崩れしにくい放射線遮へい衣服を提供することを目的とする。
【課題を解決するための手段】
【０００６】
本発明の放射線遮へい衣服は、金属及び樹脂を含有した第１金属シート部材及び前記第１金属シート部材の全体を覆う可撓性を有する第１シート部材を有し、身体の正面側に装着される正面部材と、金属及び樹脂を含有した第２金属シート部材及び前記第２金属シート部材の全体を覆う可撓性を有する第２シート部材を有し、身体の背面側に装着される背面部材とを備えている。前記第１シート部材は、身体の正面を覆う正面部と、前記正面部の右上端部から上方に向かって延在した右上部と、前記正面部の左上端部から上方に向かって延在した左上部と、前記正面部の右側部から外側に向けて膨らんだ右膨出部と、前記正面部の左側部から外側に向けて膨らんだ左膨出部とを有し、前記正面部材は、前記正面部の右上端部において、前記第１シート部材の身体に対向する外側面と反対側の外側面に取り付けられた第１右ベルトと、前記正面部の左上端部において、前記第１シート部材の身体に対向する外側面と反対側の外側面に取り付けられた第１左ベルトと、前記右上部において、前記第１シート部材の身体に対向する外側面に取り付けられた第１右接着部材と、前記左上部において、前記第１シート部材の身体に対向する外側面に取り付けられた第１左接着部材と、前記正面部及び前記右膨出部において、前記第１シート部材の身体に対向する外側面と反対側の外側面に取り付けられた第１右突出接着部材と、前記正面部及び前記左膨出部において、前記第１シート部材の身体に対向する外側面と反対側の外側面に取り付けられた第１左突出接着部材とを有する。そして、前記第１金属シート部材が、少なくとも前記正面部の一部に対向するように配置されている。また、前記第２シート部材は、身体の背面を覆う背面部と、前記背面部の右上端部から上方に向けて延在し、右肩に対向する右肩部と、前記背面部の左上端部から上方に向けて延在し、左肩に対向する左肩部と、前記背面部の右側部から外側に向けて膨らむように突出した右突出部と、前記背面部の左側部から外側に向けて膨らむように突出した左突出部とを有し、前記背面部材は、前記背面部の右上部において、前記第２シート部材の身体に対向する外側面に取り付けられた右上ベルトと、前記背面部の左上部において、前記第２シート部材の身体に対向する外側面に取り付けられた左上ベルトと、前記背面部の右下部において、前記第２シート部材の身体に対向する外側面に取り付けられた右下ベルトと、前記背面部の左下部において、前記第２シート部材の身体に対向する外側面に取り付けられた左下ベルトと、前記背面部の身体の右腰部に対応する位置において、前記第２シート部材の身体に対向する外側面に取り付けられた第１右腰ベルトと、前記背面部の身体の左腰部に対応する位置において、前記第２シート部材の身体に対向する外側面に取り付けられた第１左腰ベルトと、前記背面部の右上端部において、前記第２シート部材の身体に対向する外側面と反対側の外側面に取り付けられた第２右ベルトと、前記背面部の左上端部において、前記第２シート部材の身体に対向する外側面と反対側の外側面に取り付けられた第２左ベルトと、前記右肩部において、前記第２シート部材の身体に対向する外側面と反対側の外側面に取り付けられているとともに前記第１右接着部材に着脱自在に接着する第２右接着部材と、前記左肩部において、前記第２シート部材の身体に対向する外側面と反対側の外側面に取り付けられているとともに前記第１左接着部材に着脱自在に接着する第２左接着部材と、前記右突出部において、前記第２シート部材の身体に対向する外側面に取り付けられているとともに前記第１右突出接着部材に着脱自在に接着する第２右突出接着部材と、前記左突出部において、前記第２シート部材の身体に対向する外側面に取り付けられているとともに前記第１左突出接着部材に着脱自在に接着する第２左突出接着部材と、前記背面部及び前記右突出部の身体の腰部に対応する位置において、前記第２シート部材の身体に対向する外側面と反対側の外側面に取り付けられた第２右腰ベルトと、前記背面部及び前記左突出部の身体の腰部に対応する位置において、前記第２シート部材の身体に対向する外側面と反対側の外側面に取り付けられた第２左腰ベルトとを有する。そして、前記第２金属シート部材が、少なくとも前記背面部の一部に対向するように配置されている。また、前記放射線遮へい衣服は、前記第１右ベルト及び前記第２右ベルトを着脱自在に連結する右ベルト連結部材と、前記第１左ベルト及び前記第２左ベルトを着脱自在に連結する左ベルト連結部材と、前記右上ベルト及び前記左下ベルトを着脱自在に連結する第１左右ベルト連結部材と、前記左上ベルト及び前記右下ベルトを着脱自在に連結する第２左右ベルト連結部材と、前記第１右腰ベルト及び前記第１左腰ベルトを着脱自在に連結する第１腰ベルト連結部材と、前記第２右腰ベルト及び前記第２左腰ベルトを着脱自在に連結する第２腰ベルト連結部材とを有する。
【０００７】
本発明によると、ベルトや接着部材により正面部材と背面部材とを連結するため、正面部材と背面部材とが分離することを防止できる。また、背面部材をベルトにより身体に固定するため、背面部材を身体に密着させることができる。さらに、放射線遮へい衣服をベルトにより身体の胴部に保持できる。これらにより、放射線遮へい衣服が着崩れしにくくなり、連続して作業を行うことができる。また、放射線遮へい衣服を身体の胴部に保持できるので、衣服の重量による肩への負荷を低減することができる。
【０００８】
また、本発明において、前記右ベルト連結部材は、前記第１右ベルト及び前記第２右ベルトの少なくとも一方のベルト長さを調整可能な右ベルト調整部を有し、前記左ベルト連結部材は、前記第１左ベルト及び前記第２左ベルトの少なくとも一方のベルト長さを調整可能な左ベルト調整部を有し、前記第１左右ベルト連結部材は、前記右上ベルト及び前記左下ベルトの少なくとも一方のベルト長さを調整可能な第１左右ベルト調整部を有し、前記第２左右ベルト連結部材は、前記左上ベルト及び前記右下ベルトの少なくとも一方のベルト長さを調整可能な第２左右ベルト調整部を有し、前記第１腰ベルト連結部材は、前記第１右腰ベルト及び前記第１左腰ベルトの少なくとも一方のベルト長さを調整可能な第１腰ベルト調整部を有し、前記第２腰ベルト連結部材は、前記第２右腰ベルト及び前記第２左腰ベルトの少なくとも一方のベルト長さを調整可能な第２腰ベルト調整部を有することが好ましい。
【０００９】
上記構成によると、ベルトの長さを調整することにより、正面部材と背面部材とを身体に密着させることができる。これにより、作業性を向上させることができる。
【００１０】
さらに、本発明において、前記第１金属シート部材が、前記右膨出部及び前記左膨出部に対向するように配置されていることが好ましい。
【００１１】
上記構成によると、右膨出部を身体の右側部に対向させ、左膨出部を身体の左側部に対向させることにより、身体の右側部及び左側部において放射線を遮へいすることができる。これにより、被ばく量を低減できる。
【発明の効果】
【００１２】
本発明によると、着崩れしにくい放射線遮へい衣服を提供することができる。
【図面の簡単な説明】
【００１３】
【図１】本発明の実施形態に係る放射線遮へい衣服の斜視図である。
【図２】図１に示す正面部材の身体に対向する外側面を示す図である。
【図３】図１に示す正面部材の身体に対向する外側面と反対側の外側面を示す図である。
【図４】図２の一部断面図である。
【図５】図１に示す背面部材の身体に対向する外側面と反対側の外側面を示す図である。
【図６】図１に示す背面部材の身体に対向する外側面を示す図である。
【図７】図５の一部断面図である。
【図８】放射線遮へい衣服の装着方法を示す模式図である。
【図９】放射線遮へい衣服の装着方法を示す模式図である。
【図１０】放射線遮へい衣服の装着方法を示す模式図である。
【図１１】放射線遮へい衣服の装着方法を示す模式図である。
【図１２】放射線遮へい衣服の装着方法を示す模式図である。
【図１３】放射線遮へい衣服の装着方法を示す模式図である。
【図１４】放射線遮へい衣服の装着方法を示す模式図である。
【発明を実施するための形態】
【００１４】
以下、本発明の好適な実施形態について、図面を参照しつつ説明する。
【００１５】
〔放射線遮へい衣服〕
図１に示すように、放射線遮へい衣服１は、身体の正面を覆う正面部材２と、身体の背面を覆う背面部材３とを有する。正面部材２と背面部材３とは、身体の肩部に設けられたベルトやバックル４，５により連結され、ベルト６により身体の腰部に保持される。放射線遮へい衣服１を着用すると、身体の上半身と、下半身の一部とが放射線遮へい衣服１により覆われる。なお、図１−１４に示す「右」は、放射線遮へい衣服１を着用したときの着用者の右方を示し、「左」は着用者の左方を示している。
【００１６】
[正面部材]
図２には、正面部材を着用したときに、身体に対向する外側面を図示し、図３には、正面部材を着用したときに、外部から視認される外側面を図示している。図２に示すように、正面部材２は、金属及び樹脂を含有した金属シート（第１金属シート部材）１１と、金属シート１１を覆う可撓性を有するシート２１，２２とを備えている。
【００１７】
（金属シート部材）
図２及び図４（ａ）に示すように、金属シート１１は、右シート１２と、左シート１３と、右シート１２及び左シート１３の隣り合う部分を覆う補助シート１４，１５から構成されている。補助シート１４は身体に対向する側に配置され、補助シート１５は身体に対向する側と反対側に配置されている。これにより、右シート１２及び左シート１３の間に隙間が生じても、この隙間から放射線が通過するのを抑止できる。ここで、図４（ａ）には、図２のＩＶＡ−ＩＶＡ線に沿った断面図を示している。金属シート１１は、金属と樹脂とを含有し、可撓性を有する放射線遮へい材である。金属には、タングステンや錫が用いられる。
【００１８】
（シート部材）
図２及び図４（ｂ）に示すように、シート２１，２２は、金属シート１１を挟んで対向するように配置されている。また、シート２１，２２は、縁部をシート２３で覆い縫合することによって一体となっている。本実施形態では、シート２１，２２が一体となったシートをシート（第１シート部材）２４と呼び、シート２４により金属シート１１が全て覆われている。また、シート２１において、シート２４の内側面であり、シート２２と向かい合う面を内側面２１ａと呼び、シート２４の外側面であり、外部に露出した面を外側面２１ｂと呼ぶ（図４（ｂ）参照）。同様に、シート２２において、シート２４の内側面であり、シート２１と向かい合う面を内側面２１ａと呼び、シート２４の外側面であり、外部に露出した面を外側面２２ｂと呼ぶ。なお、図４（ｂ）には、図２のＩＶＢ−ＩＶＢに沿った断面図を示している。シート２１，２２には、布（例えば、ナイロン繊維（登録商標））が用いられている。
【００１９】
図３に示すように、シート２４は、身体の正面を覆う正面部３１と、正面部３１の右上端部から上方に向かって延在した右上部３２と、正面部３１の左上端部から上方に向かって延在した左上部３３と、正面部３１の右側部から外側に向けて膨らんだ右膨出部３４と、正面部３１の左側部から外側に向けて膨らんだ左膨出部３５とを有する。また、図２に示すように、金属シート１１が、正面部３１と、右膨出部３４と、左膨出部３５とに対向するように配置されている。そして、正面部３１の上端部、右上部３２及び左上部３３は、それらに対向する位置に金属シート１１が配置されておらず、シート２１，２２が積層されたシート２４からなる構成となっている。
【００２０】
図３に示すように、正面部３１の右上端部において、シート２２の外側面２２ｂには、右ベルト（第１右ベルト）４１が取り付けられている。ここで、シート２２の外側面２２ａとは、シート２４の身体に対向する外側面２１ｂと反対側の外側面２２ａである（図４（ｂ）参照）。右ベルト４１には、バックル（右ベルト連結部材）４のプラグ５１が取り付けられている。プラグ５１には、孔５１ａが形成され、孔５１ａに右ベルト４１が通されていることにより、右ベルト４１の長さを調整することができる（右ベルト調整部）。
【００２１】
また、正面部３１の左上端部において、シート２２の外側面２２ｂには、左ベルト（第１左ベルト）４２が取り付けられている。左ベルト４２には、バックル（右ベルト連結部材）５のプラグ５２が取り付けられている。プラグ５２には、孔５２ａが形成され、孔５２ａに左ベルト４２が通されていることにより、左ベルト４２の長さを調整することができる（左ベルト調整部）。
【００２２】
正面部３１及び右膨出部３４において、シート２２の外側面２２ｂには、面ファスナー（第１右突出接着部材）４３が取り付けられている。また、正面部３１及び左膨出部３５において、シート２２の外側面２２ｂには、面ファスナー（第１左突出接着部材）４４が取り付けられている。
【００２３】
また、図２に示すように、右上部３２において、シート２１の外側面２１ｂには、面ファスナー（第１右接着部材）４５が取り付けられている。ここで、シート２１の外側面２１ｂとは、シート２４の身体に対向する外側面２１ｂである（図４（ｂ）参照）。また、左上部３３において、シート２１の外側面２１ｂには、面ファスナー（第１左接着部材）４６が取り付けられている。
【００２４】
[背面部材]
図５には、背面部材３を着用したときに、外部から視認される外側面を図示し、図６には、背面部材３を着用したときに、身体に対向する外側面を図示している。図５に示すように、背面部材３は、金属及び樹脂を含有した金属シート（第２金属シート部材）１１１と、金属シート１１１を覆う可撓性を有するシート１２１，１２２とを有する。
【００２５】
（金属シート部材）
図５及び図７（ａ）に示すように、金属シート１１１は、右シート１１２と、左シート１１３と、右シート１１２及び左シート１１３の隣り合う部分を覆う補助シート１１４，１１５から構成されている。補助シート１１４は身体に対向する側に配置され、補助シート１１５は身体に対向する側と反対側に配置されている。金属シート１１１は、金属シート１１と略同様な構成を有し、同様な材質からなる。なお、図７（ａ）は、図５のＶＩＩＡ−ＶＩＩＡ線に沿った断面図を示している。
【００２６】
（シート部材）
図５及び図７（ｂ）に示すように、シート１２１，１２２は、金属シート１１１を挟んで対向するように配置されている。また、シート１２１，１２２は、縁部をシート１２３で覆い縫合することによって一体となっている。本実施形態では、シート１２１，１２２が一体となったシートをシート（第１シート部材）１２４と呼び、シート１２４により金属シート１１１が全て覆われている。また、シート１２１において、シート１２４の内側面であり、シート１２２と向かい合う面を内側面１２１ａと呼び、シート１２４の外側面であり、外部に露出した面を外側面１２１ｂと呼ぶ（図７（ｂ）参照）。なお、図７（ｂ）には、図５のＶＩＩＢ−ＶＩＩＢ線に沿った断面図を示している。シート１２１，１２２は、布（例えば、ナイロン繊維（登録商標））が用いられている。
【００２７】
図５に示すように、シート１２４は、身体の背面を覆う背面部１３１と、背面部１３１の右上端部から上方に向けて延在し、右肩に対向する右肩部１３２と、背面部１３１の左上端部から上方に向けて延在し、左肩に対向する左肩部１３３と、背面部１３１の右側部から外側に向けて膨らむように突出した右突出部１３４と、背面部１３１の左側部から外側に向けて膨らむように突出した左突出部１３５とを有する。また、金属シート１１１が、背面部１３１と、右突出部１３４と、左突出部１３５とに対向するように配置されている。そして、背面部１３１の上端部、右肩部１３２、左肩部１３３、右突出部１３４及び左突出部１３５は、それらに対向する位置に金属シート１１１が配置されておらず、シート１２１，１２２が積層されたシート１２４からなる構成となっている。
【００２８】
図５に示すように、背面部１３１の右上端部において、シート１２２の外側面１２２ｂには、右ベルト（第２右ベルト）１４１が取り付けられている。ここで、シート１２２の外側面１２２ａとは、シート１２４の身体に対向する外側面１２１ｂと反対側の外側面１２２ａである（図７（ｂ）参照）。右ベルト１４１には、バックル４のソケット１６１が取り付けられている。ソケット１６１には、正面部材２のプラグ５１が差し込まれる（図３参照）。
【００２９】
また、背面部１３１の左上端部において、シート１２２の外側面１２２ｂには、左ベルト（第２左ベルト）１４２が取り付けられている。左ベルト１４２には、バックル５のソケット１６２が取り付けられている。ソケット１６２には、正面部材２のプラグ５２が差し込まれる（図３参照）。
【００３０】
右肩部１３２において、シート１２２の外側面１２２ｂには、面ファスナー（第２右接着部材）１４３が取り付けられている。面ファスナー１４３は、面ファスナー４５に着脱自在に接着する（図２参照）。
【００３１】
また、左肩部１３３において、シート１２２の外側面１２２ｂには、面ファスナー（第２左接着部材）１４４が取り付けられている。面ファスナー１４４は、面ファスナー４６に着脱自在に接着する（図２参照）。
【００３２】
図５に示すように、背面部１３１及び右突出部１３４の身体の腰部に対応する位置において、シート１２２の外側面１２２ｂには、右腰ベルト（第２右腰ベルト）１４５が取り付けられている。右腰ベルト１４５には、バックル（第２腰ベルト連結部材）７のソケット７１が取り付けられている。
【００３３】
背面部１３１及び左突出部１３５の身体の腰部に対応する位置において、シート１２２の外側面１２２ｂに、左腰ベルト（第２左腰ベルト）１４６が取り付けられている。左腰ベルト１４６には、バックル７のプラグ７２が取り付けられている。ソケット７１にプラグ７２を差し込むことにより、右腰ベルト１４５と左腰ベルト１４６とを連結することができる。また、プラグ７２には、孔７２ａが形成されている。孔７２ａに左腰ベルト１４６を通すことにより、左腰ベルト１４６の長さを調整することができる（第２腰ベルト調整部）。
【００３４】
そして、右腰ベルト１４５と、左腰ベルト１４６と、バックル７とにより、図１に示すベルト６が構成されている。
【００３５】
図６に示すように、背面部１３１の右上部において、シート１２１の外側面１２１ｂに右上ベルト１４７が取り付けられている。ここで、シート１２１の外側面１２１ｂとは、シート１２４の身体に対向する外側面１２１ｂである。右上ベルト１４７には、バックル（第１左右ベルト連結部材）８のソケット７３が取り付けられている。
【００３６】
また、背面部１３１の左下部において、シート１２１の外側面１２１ｂに左下ベルト１４８が取り付けられている。左下ベルト１４８には、バックル８のプラグ７４が取り付けられている。プラグ７４をソケット７３に差し込むことにより、右上ベルト１４７と左下ベルト１４８とを連結することができる。また、プラグ７４には、孔７４ａが形成されている。孔７４ａに左下ベルト１４８を通すことにより、左下ベルト１４８の長さを調整することができる（第１左右ベルト調整部）。
【００３７】
背面部１３１の左上部において、シート１２１の外側面１２１ｂに左上ベルト１４９が取り付けられている。左上ベルト１４９には、バックル（第２左右ベルト連結部材）９のソケット７５が取り付けられている。
【００３８】
また、背面部１３１の右下部において、シート１２１の外側面１２１ｂに右下ベルト１５０が取り付けられている。右下ベルト１５０には、バックル９のプラグ７６が取り付けられている。プラグ７６をソケット７５に差し込むことにより、左上ベルト１４９と右下ベルト１５０とを連結することができる。また、プラグ７６には、孔７６ａが形成されている。孔７６ａに右下ベルト１５０を通すことにより、右下ベルト１５０の長さを調整することができる（第２左右ベルト調整部）。
【００３９】
背面部１３１の身体の右腰部に対応する位置において、シート１２１の外側面１２１ｂに右腰ベルト１５１（第１右腰ベルト）が取り付けられている。右腰ベルト１５１には、バックル（第１腰ベルト連結部材）１０のプラグ７７が取り付けられている。また、プラグ７７には、孔７７ａが形成されている。孔７７ａに右腰ベルト１５１を通すことにより、右腰ベルト１５１の長さを調整することができる（第１腰ベルト調整部）。
【００４０】
また、背面部１３１の身体の左腰部に対応する位置において、シート１２１の外側面１２１ｂに左腰ベルト１５２（第１左腰ベルト）が取り付けられている。左腰ベルト１５２には、バックル１０のソケット７８が取り付けられている。プラグ７７をソケット７８に差し込むことにより、右腰ベルト１５１と左腰ベルト１５２とを連結することができる。
【００４１】
右突出部１３４において、シート１２１の外側面１２１ｂには、面ファスナー（第２右突出接着部材）１５３が取り付けられている。また、左突出部１３５において、シート１２１の外側面１２１ｂには、面ファスナー（第２左突出接着部材）１５４が取り付けられている。面ファスナー１５３は、正面部材２の面ファスナー４３に着脱自在に接着する（図３参照）。また、面ファスナー１５４は、正面部材２の面ファスナー４４に着脱自在に接着する。
【００４２】
次に、放射線遮へい衣服１を着用する方法を、図８〜１４を参照しつつ説明する。
【００４３】
最初に、背面部材３を身体の背面に対向させる。また、図８に示すように、右肩部１３２を身体の右肩に対向させ、左肩部１３３を身体の左肩に対向させる。そして、右上ベルト１４７と左下ベルト１４８とをバックル８により連結する。また、左上ベルト１４９と右下ベルト１５０とをバックル９により連結する。そして、左下ベルト１４８の長さと右下ベルト１５０の長さを調整する。次に、図９に示すように、右腰ベルト１５１と左腰ベルト１５２とをバックル１０による連結し、右腰ベルト１５１の長さを調整する。このようにして、背面部材３を身体の背面に固定する。
【００４４】
続いて、図１０に示すように、正面部材２を身体の正面に対向させる。このとき、右上部３２の面ファスナー４５を背面部材３の面ファスナー１４３に接着し、左上部３３の面ファスナー４６を背面部材３の面ファスナー１４４に接着する。
【００４５】
そして、図１１に示すように、右上部３２の上から背面部材３の右ベルト１４１と正面部材２の右ベルト４１とをバックル４により連結する。また、左上部３３の上から背面部材３の左ベルト１４２と正面部材２の左ベルト４２とをバックル５により連結する。そして、右ベルト４１の及び左ベルト４２の長さを調整する。
【００４６】
次に、図１２に示すように、正面部材２の右膨出部３４を身体の右側部に対向させる。そして、背面部材３の右突出部１３４を右膨出部３４に重ね合わせ、右突出部１３４の面ファスナー１５３を右膨出部３４の面ファスナー４３に接着する（図１３）。また、正面部材２の左膨出部３５を身体の左側部に対向させた後、背面部材３の左突出部１３５を左膨出部３５に重ね合わせ、左突出部１３５の面ファスナー１５４を左膨出部３５の面ファスナー４４に接着する（図１４参照）。
【００４７】
最後に、図１４に示すように、背面部材３の右突出部１３４及び左突出部１３５の上から、右腰ベルト１４５と左腰ベルト１４６とをバックル７により連結し、左腰ベルト１４６の長さを調整する。
【００４８】
以上に述べたように、本実施の形態の放射線遮へい衣服１によると以下の効果を奏する。正面部材２と背面部材３とを面ファスナー４５，４６，１４３，１４４により連結し、さらにその上から右ベルト４１，１４１及び左ベルト４２，１４２により連結することにより、正面部材２と背面部材３とが強固に連結され、これらが分離することを防止できる。また、背面部材３を右上ベルト１４７、左下ベルト１４８、左上ベルト１４９、右下ベルト１５０、右腰ベルト１５１及び左腰ベルト１５２により身体に固定することにより、背面部材３を身体に密着させることができる。また、正面部材２と背面部材３とを、身体の腰部において、面ファスナー４３，４４，１５３，１５４により連結し、さらにその上からベルト６により放射線遮へい衣服１を身体の胴部に保持している。これらにより、放射線遮へい衣服１が着崩れしにくくなるため、連続して作業を行うことができる。また、放射線遮へい衣服１を身体の胴部に保持できるので、衣服の重量による肩への負荷を低減することができる。
【００４９】
また、各ベルトの長さを調整することができるため（右ベルト４１、左ベルト４２、左下ベルト１４８、右下ベルト１５０、右腰ベルト１５１、左腰ベルト１４６）、正面部材２と背面部材３とを身体に密着させることができる。これにより、作業性を向上させることができる。
【００５０】
さらに、金属シート１１が、右膨出部３４と、左膨出部３５とに対向するように配置されていることから、右膨出部３４を身体の右側部に対向させ、左膨出部３５を身体の左側部に装着させることにより、身体の右側部及び左側部において放射線を遮へいすることができる。これにより、被ばく量を低減できる。
【００５１】
以上、本発明の好適な実施形態について説明したが、本発明は上述の実施形態に限られるものではなく、特許請求の範囲に記載した限りにおいて様々な変更が可能なものである。
【００５２】
例えば、本実施形態では、２つのベルトを連結する連結部材にバックルを用いた場合について説明したが、連結部材はバックルに限られず、様々な部材を用いることができる。また、２つのベルトを互いに結び合わせてこれらを連結してもよい。さらに、本実施形態では、正面部材と背面部材とを連結する部材に面ファスナーを用いた場合について説明したが、面ファスナーに限られず、ベルトやテープ等を用いてもよい。
【００５３】
また、本実施形態では、各ベルト長さを調整することができる場合（右ベルト４１、左ベルト４２、左下ベルト１４８、右下ベルト１５０、右腰ベルト１５１、左腰ベルト１４６のベルト長さが調整可能である場合）について説明したが、ベルト長さが調整できない構成でもよい。そして、ベルト長さを調整できるのは、上述のベルトに限られず、これらに連結されるベルトでもよい。また、上述したベルトとこれに連結されるベルトとのいずれもが、ベルト長さを調整できる構成でもよい。
【００５４】
さらに、本実施形態では、金属シート１１が、正面部材２の右膨出部３４及び左膨出部３５に対向するように配置されている場合について説明したが、金属シート部材は右膨出部及び左膨出部に対向するように配置されていなくてもよい。また、金属シート部材が、右突出部及び左突出部に対向するように配置されてもよい。
【００５５】
加えて、本実施形態において、放射線遮へい衣服１（正面部材２及び背面部材３）の下部に、上下方向に沿ったスリットが形成されていてもよい。これにより、作業中に着用者が座屈などしやすくなるため、作業性をさらに向上させることができる。
【００５６】
また、本実施形態では、シート２１，２２，１２１，１２２に布を用いる場合について説明したが、シートは布に限られない。
【００５７】
さらに、本実施形態では、金属シート１１（１１１）が２枚のシート２１，２２（１２１，１２２）に覆われる場合について説明したが、１枚のシートにより覆われてもよい。また、金属シート部材が対向しない部分（正面部材２において正面部３１の上部、右上部３２及び左上部３３、背面部材３において背面部１３１の上部、右肩部１３２、左肩部１３３、右突出部１３４及び左突出部１３５）では、２枚のシート部材が積層されている場合について説明したが、１枚のシート部材により構成されてもよい。
【符号の説明】
【００５８】
１  放射線遮へい衣服
２  正面部材
３  背面部材
４  バックル（右ベルト連結部材）
５  バックル（左ベルト連結部材）
６  ベルト
７  バックル（第２腰ベルト連結部材）
８  バックル（第１左右ベルト連結部材）
９  バックル（第２左右ベルト連結部材）
１０  バックル（第１腰ベルト連結部材）
１１  金属シート（第１金属シート部材）
２１，２２，１２１，１２２  シート
２４  シート（第１シート部材）   
３１  正面部
３２  右上部
３３  左上部
３４  右膨出部
３５  左膨出部
４１  右ベルト（第１右ベルト）
４２  左ベルト（第１左ベルト）
４３  面ファスナー（第１右突出接着部材）
４４  面ファスナー（第１左突出接着部材）
４５  面ファスナー（第１右接着部材）
４６  面ファスナー（第１左接着部材）
１１１  金属シート（第２金属シート部材）
１２４  シート（第２シート部材）
１３１  背面部
１３２  右肩部
１３３  左肩部
１３４  右突出部
１３５  左突出部
１４７  右上ベルト
１４８  左下ベルト
１４９  左上ベルト
１５０  右下ベルト
１５１  右腰ベルト（第１右腰ベルト）
１５２  左腰ベルト（第１左腰ベルト）
１４１  右ベルト（第２右ベルト）
１４２  左ベルト（第２左ベルト）
１４３  面ファスナー（第２右接着部材）
１４４  面ファスナー（第２左接着部材）
１４５  右腰ベルト（第２右腰ベルト）
１４６  左腰ベルト（第２左腰ベルト）
１５３  面ファスナー（第２右突出接着部材）
１５４  面ファスナー（第２左突出接着部材）
【図１】
2013072795.tif 000003
【図２】
2013072795.tif 000004
【図３】
2013072795.tif 000005
【図５】
2013072795.tif 000006
【図４】
2013072795.tif 000007
【図６】
2013072795.tif 000008
【図７】
2013072795.tif 000009
【図８】
2013072795.tif 000010
【図９】
2013072795.tif 000011
【図１０】
2013072795.tif 000012
【図１１】
2013072795.tif 000013
【図１２】
2013072795.tif 000014
【図１３】
2013072795.tif 000015
【図１４】
2013072795.tif 000016